(57)【要約】【課題】遊技店が意図する景品交換サービスを実現することを課題とする。【解決手段】自販機子機８０では、会員管理Ｔ／Ｃ１０によって管理される複数の貯玉口座の残高を問い合わせ、問い合わせた各貯玉口座の残高を金額価値に換算し、該換算した残金額が最も多い貯玉口座を引落し対口座として特定し、特定した引落し口座から交換玉数を引き落とすように会員管理Ｔ／Ｃ１０に依頼することで、貯玉残高の引落しを行う際に残高不足となる可能性が最も低い貯玉口座を切替え選択して景品交換を行うことができるようにしている。【選択図】        図４
2009118867.tif 000002
【特許請求の範囲】
【請求項１】
同一の遊技媒体について貸出レートが異なる複数の貯遊技媒体の残高を貸出レートごとに貯遊技媒体口座として管理する管理装置と、前記貯遊技媒体と景品との交換要求に応答して当該景品との交換に要する交換遊技媒体数を引き落とすように前記管理装置に依頼する景品交換端末とを有する景品交換システムであって、
前記景品交換端末は、
前記管理装置によって管理される複数の貯遊技媒体口座のうち引落し対象とする貯遊技媒体口座を特定する特定手段と、
前記特定手段によって特定された貯遊技媒体口座から交換遊技媒体数を引き落とすように前記管理装置に依頼する依頼手段と
を備えたことを特徴とする景品交換システム。
【請求項２】
同一の遊技媒体について貸出レートが異なる複数の貯遊技媒体の残高を貸出レートごとに貯遊技媒体口座として管理する管理装置と、前記貯遊技媒体と景品との交換要求に応答して当該景品との交換に要する交換遊技媒体数を引き落とすように前記管理装置に依頼する景品交換端末とを有する景品交換システムであって、
前記管理装置は、
前記景品交換端末で前記貯遊技媒体の引落し要求を行う遊技客の貯遊技媒体口座であって、当該遊技客が保有する複数の貯遊技媒体口座のうち引落し対象とする貯遊技媒体口座を特定する特定手段を備え、
前記景品交換端末は、
前記特定手段によって特定された貯遊技媒体口座から交換遊技媒体数を引き落とすように前記管理装置に依頼する依頼手段を備えた
ことを特徴とする景品交換システム。
【請求項３】
前記特定手段は、
前記複数の貯遊技媒体口座それぞれの貯遊技媒体の残高を該残高の多寡を比較可能な共通単位の価値に換算する換算手段をさらに備え、
前記引落し対象とする貯遊技媒体口座として、前記換算手段によって前記共通単位に換算された残価値が最も多い貯遊技媒体口座を特定することを特徴とする請求項１または２に記載の景品交換システム。
【請求項４】
前記貯遊技媒体口座は、各貸出レートごとに特殊景品の交換可否が区別設定されるものであって、
前記特定手段は、前記引落し対象とする貯遊技媒体口座として、前記特殊景品に交換不可能な貯遊技媒体口座を優先して特定することを特徴とする請求項１〜３のいずれか一つに記載の景品交換システム。
【請求項５】
前記管理装置は、
前記貯遊技媒体口座を保有する遊技客ごとに、当該遊技客が所定期間内に交換を行った景品種別ごとの交換個数を対応付けて記憶する交換情報記憶手段と、
前記交換情報記憶手段によって前記遊技客に対応付けて記憶された累積交換個数が所定値以上の景品種別が存在する場合に、前記依頼手段による当該景品種別に係る引落し依頼を棄却する依頼棄却手段とをさらに備えた
ことを特徴とする請求項１〜４のいずれか一つに記載の景品交換システム。
【請求項６】
同一の遊技媒体について貸出レートが異なる複数の貯遊技媒体の残高を貸出レートごとに貯遊技媒体口座として管理する管理装置に接続され、前記貯遊技媒体と景品との交換要求に応答して当該景品との交換に要する交換遊技媒体数を引き落とすように前記管理装置に依頼する景品交換端末であって、
前記景品に対応付けて、当該景品の販売価格と等価な小数含みの実交換遊技媒体数及び該実交換遊技媒体数を整数に調整した調整交換遊技媒体数を記憶する記憶手段と、
前記貯遊技媒体と景品との交換要求に応答して、前記記憶手段によって前記景品に対応付けて記憶された前記調整交換遊技媒体数と前記実交換遊技媒体数との差分値を引落し対象とする貸出レートとは異なる他の貸出レートの遊技媒体数に換算する換算手段と、
前記引落し対象とする貸出レートの貯遊技媒体口座から前記調整交換遊技媒体数を引き落とすように依頼するとともに、前記換算手段によって換算された遊技媒体数を前記他の貸出レートの貯遊技媒体口座に加算するように依頼する依頼手段と
を備えたことを特徴とする景品交換端末。
【請求項７】
同一の遊技媒体について貸出レートが異なる複数の貯遊技媒体の残高を貸出レートごとに貯遊技媒体口座として管理する管理装置に接続され、前記貯遊技媒体と景品との交換要求に応答して当該景品との交換に要する交換遊技媒体数を引き落とすように前記管理装置に依頼する景品交換端末であって、
前記景品に対応付けて、当該景品と等価な小数含みの実交換遊技媒体数及び該実交換遊技媒体数を整数に調整した調整交換遊技媒体数を記憶する記憶手段と、
前記貯遊技媒体と景品との交換要求に応答して、前記記憶手段によって前記景品に対応付けて記憶された前記調整交換遊技媒体数と前記実交換遊技媒体数との差分値を関連付けた交換用記録媒体を発行するように制御する発行制御手段と
を備えたことを特徴とする景品交換端末。
【請求項８】
同一の遊技媒体について貸出レートが異なる複数の貯遊技媒体の残高を貸出レートごとに貯遊技媒体口座として管理する管理装置と、前記貯遊技媒体と景品との交換要求に応答して当該景品との交換に要する交換遊技媒体数を引き落とすように前記管理装置に依頼する景品交換端末とを有する景品交換システムに用いる景品交換方法であって、
前記景品交換端末が、
前記管理装置によって管理される複数の貯遊技媒体口座のうち引落し対象とする貯遊技媒体口座を特定する特定工程と、
前記特定工程によって特定された貯遊技媒体口座から交換遊技媒体数を引き落とすように前記管理装置に依頼する依頼工程と
を含んだことを特徴とする景品交換方法。
【請求項９】
同一の遊技媒体について貸出レートが異なる複数の貯遊技媒体の残高を貸出レートごとに貯遊技媒体口座として管理する管理装置と、前記貯遊技媒体と景品との交換要求に応答して当該景品との交換に要する交換遊技媒体数を引き落とすように前記管理装置に依頼する景品交換端末とを有する景品交換システムに用いる景品交換方法であって、
前記管理装置が、
前記景品交換端末で前記貯遊技媒体の引落し要求を行う遊技客の貯遊技媒体口座であって、当該遊技客が保有する複数の貯遊技媒体口座のうち引落し対象とする貯遊技媒体口座を特定する特定工程を含み、
前記景品交換端末が、
前記特定工程によって特定された貯遊技媒体口座から交換遊技媒体数を引き落とすように前記管理装置に依頼する依頼工程を含んだ
ことを特徴とする景品交換方法。
【発明の詳細な説明】
【技術分野】
【０００１】
本発明は、同一の遊技媒体について貸出レートが異なる複数の貯遊技媒体の残高を貸出レートごとに貯遊技媒体口座として管理する管理装置と、貯遊技媒体と景品との交換要求に応答して当該景品との交換に要する交換遊技媒体数を引き落とすように管理装置に依頼する景品交換端末とを有する景品交換システム、景品交換端末及び景品交換方法に関する。
【背景技術】
【０００２】
従来、パチンコ遊技及びパチスロ遊技を提供する遊技店においては、遊技客によって獲得された遊技媒体を遊技客が希望する景品に交換する景品交換サービスを提供している。かかる景品交換サービスを提供するものとしては、パチンコ玉やメダル等の遊技媒体の数量が関連付けられた計数レシートや会員カードを通じて遊技媒体と景品との交換を管理する景品管理装置が広く普及している（例えば、特許文献１参照）。
【０００３】
また、食料、飲料やタバコなどのように遊技客の需要が高い一般景品を遊技店の従業員の手を煩わせずに景品交換させる観点から、現物の玉・メダル又は貯玉・貯メダルを引き換えに食料、飲料やタバコ等の一般景品を交換するように制御する自販機子機が遊技店内に配設されている。
【０００４】
【特許文献１】特開２００２−３３１１４６号公報
【発明の開示】
【発明が解決しようとする課題】
【０００５】
ところで、最近では、遊技客に低料金で比較的長い時間楽しんでもらえる遊技を提供したいというニーズ、遊技台のお試し遊技の提供や人気分析等のニーズから、汎用の貸出レート（玉：４円／玉、メダル：２０円／枚）よりも低い貸出レート（玉：１円／玉、メダル：１０円／枚）の低レートコーナー（１円コーナー）を汎用貸出レートのコーナー（４円コーナー）と併存させる仕組みが確立されつつある。
【０００６】
加えて、複数の貸出レートの遊技コーナーが開設されるのに伴って貯玉・貯メダルについても各遊技コーナーで行わせる仕組みが考案されつつある。このように、複数の貸出レートが存在する場合に貯玉・貯メダルを認める場合には、それぞれの貸出レートの貯玉・貯メダルを別々の口座で管理するように管理装置を構成するのが一般的である。
【０００７】
しかしながら、複数の貯遊技媒体口座のうちいずれかの口座の残高を用いて景品交換を行わせる場合に、同一の貸出レートの貯玉口座・貯メダル口座から順番に交換対価を引落すように固定したのでは、遊技店が意図する景品交換サービスを実現することができないという問題がある。
【０００８】
例えば、上記した自販機子機が貯玉口座の引落しを「４円口座→１円口座」の順に行うように構成されている場合に、交換を行う遊技客が４円貯玉を４０玉保有し、１円貯玉を４８０玉保有するとしたならば、タバコ「３００円」の交換を行う際には、１円貯玉「１円貯玉：４８０円（＝１円×４８０玉）＞タバコ：３００円」であれば交換できるのに、引落し対象となる口座が４円貯玉とされ、「タバコ３００＞４円貯玉１６０円（＝４円×４０玉）」となることから交換ＮＧとなり、「景品交換したい」という遊技客のニーズならびに「景品交換してほしい」という遊技店のニーズの双方に反する事態を招いてしまうことになる。
【０００９】
さらに、かかる１円コーナーは、あくまでお試し遊技を提供するコーナーであり、遊技客を４円コーナーに誘導することを目的とするものであることから、４円コーナーの獲得玉については特殊景品への交換を許可する一方で１円コーナーの獲得玉については特殊景品への交換を禁止する運用を採用しようとしても、上記したケースと同様、貯玉口座の引落しが「４円口座→１円口座」の順に行われるように構成されていたならば、特殊景品に交換可能な４円口座を使用しなければ一般景品との交換を行うことができず、特殊景品に交換不能な１円口座の残高が残りやすくなるため、遊技店の交換利益が増加する反面で遊技客から過度の反発を招くことになる。このため、かかる大きな不利益を招く運用を採用することができず、結果として、遊技店のニーズに反することになる。
【００１０】
また、上記した景品管理装置や自販機子機で定価販売の景品を交換する場合には、景品の販売価格が玉単価で割り切れるとは限らないため、交換玉数の実質価値と景品の販売価格との間で価値の差が生じることがあり、遊技店内にて公正な景品交換を行うことができないという問題もある。例えば、２９０円のタバコを４円貯玉の玉７３個で交換した場合、玉７３個＝２９２円となり、遊技客から２円を余分に徴収してしまう事態が生じる。
【００１１】
そこで、本発明は、上述した従来技術による課題（問題点）を解消するためになされたものであり、遊技店が意図する景品交換サービスを実現することができる景品交換システム、景品交換端末及び景品交換方法を提供することを目的とする。
【課題を解決するための手段】
【００１２】
上述した課題を解決し、目的を達成するために、本発明に係る景品交換システムは、同一の遊技媒体について貸出レートが異なる複数の貯遊技媒体の残高を貸出レートごとに貯遊技媒体口座として管理する管理装置と、前記貯遊技媒体と景品との交換要求に応答して当該景品との交換に要する交換遊技媒体数を引き落とすように前記管理装置に依頼する景品交換端末とを有する景品交換システムであって、前記景品交換端末は、前記管理装置によって管理される複数の貯遊技媒体口座のうち引落し対象とする貯遊技媒体口座を特定する特定手段と、前記特定手段によって特定された貯遊技媒体口座から交換遊技媒体数を引き落とすように前記管理装置に依頼する依頼手段とを備えたことを特徴とする。
【００１３】
また、本発明に係る景品交換システムは、同一の遊技媒体について貸出レートが異なる複数の貯遊技媒体の残高を貸出レートごとに貯遊技媒体口座として管理する管理装置と、前記貯遊技媒体と景品との交換要求に応答して当該景品との交換に要する交換遊技媒体数を引き落とすように前記管理装置に依頼する景品交換端末とを有する景品交換システムであって、前記管理装置は、前記景品交換端末で前記貯遊技媒体の引落し要求を行う遊技客の貯遊技媒体口座であって、当該遊技客が保有する複数の貯遊技媒体口座のうち引落し対象とする貯遊技媒体口座を特定する特定手段を備え、前記景品交換端末は、前記特定手段によって特定された貯遊技媒体口座から交換遊技媒体数を引き落とすように前記管理装置に依頼する依頼手段を備えたことを特徴とする。
【００１４】
また、本発明に係る景品交換システムは、前記特定手段は、前記複数の貯遊技媒体口座それぞれの貯遊技媒体の残高を該残高の多寡を比較可能な共通単位の価値に換算する換算手段をさらに備え、前記引落し対象とする貯遊技媒体口座として、前記換算手段によって前記共通単位に換算された残価値が最も多い貯遊技媒体口座を特定することを特徴とする。
【００１５】
また、本発明に係る景品交換システムは、前記貯遊技媒体口座は、各貸出レートごとに特殊景品の交換可否が区別設定されるものであって、前記特定手段は、前記引落し対象とする貯遊技媒体口座として、前記特殊景品に交換不可能な貯遊技媒体口座を優先して特定する。
【００１６】
また、本発明に係る景品交換システムは、前記管理装置は、前記貯遊技媒体口座を保有する遊技客ごとに、当該遊技客が所定期間内に交換を行った景品種別ごとの交換個数を対応付けて記憶する交換情報記憶手段と、前記交換情報記憶手段によって前記遊技客に対応付けて記憶された累積交換個数が所定値以上の景品種別が存在する場合に、前記依頼手段による当該景品種別に係る引落し依頼を棄却する依頼棄却手段とをさらに備えたことを特徴とする。
【００１７】
また、本発明に係る景品交換端末は、同一の遊技媒体について貸出レートが異なる複数の貯遊技媒体の残高を貸出レートごとに貯遊技媒体口座として管理する管理装置に接続され、前記貯遊技媒体と景品との交換要求に応答して当該景品との交換に要する交換遊技媒体数を引き落とすように前記管理装置に依頼する景品交換端末であって、前記景品に対応付けて、当該景品の販売価格と等価な小数含みの実交換遊技媒体数及び該実交換遊技媒体数を整数に調整した調整交換遊技媒体数を記憶する記憶手段と、前記貯遊技媒体と景品との交換要求に応答して、前記記憶手段によって前記景品に対応付けて記憶された前記調整交換遊技媒体数と前記実交換遊技媒体数との差分値を引落し対象とする貸出レートとは異なる他の貸出レートの遊技媒体数に換算する換算手段と、前記引落し対象とする貸出レートの貯遊技媒体口座から前記調整交換遊技媒体数を引き落とすように依頼するとともに、前記換算手段によって換算された遊技媒体数を前記他の貸出レートの貯遊技媒体口座に加算するように依頼する依頼手段とを備えたことを特徴とする。
【００１８】
また、本発明に係る景品交換端末は、同一の遊技媒体について貸出レートが異なる複数の貯遊技媒体の残高を貸出レートごとに貯遊技媒体口座として管理する管理装置に接続され、前記貯遊技媒体と景品との交換要求に応答して当該景品との交換に要する交換遊技媒体数を引き落とすように前記管理装置に依頼する景品交換端末であって、前記景品に対応付けて、当該景品と等価な小数含みの実交換遊技媒体数及び該実交換遊技媒体数を整数に調整した調整交換遊技媒体数を記憶する記憶手段と、前記貯遊技媒体と景品との交換要求に応答して、前記記憶手段によって前記景品に対応付けて記憶された前記調整交換遊技媒体数と前記実交換遊技媒体数との差分値を関連付けた交換用記録媒体を発行するように制御する発行制御手段とを備えたことを特徴とする。
【００１９】
また、本発明に係る景品交換方法は、同一の遊技媒体について貸出レートが異なる複数の貯遊技媒体の残高を貸出レートごとに貯遊技媒体口座として管理する管理装置と、前記貯遊技媒体と景品との交換要求に応答して当該景品との交換に要する交換遊技媒体数を引き落とすように前記管理装置に依頼する景品交換端末とを有する景品交換システムに用いる景品交換方法であって、前記景品交換端末が、前記管理装置によって管理される複数の貯遊技媒体口座のうち引落し対象とする貯遊技媒体口座を特定する特定工程と、前記特定工程によって特定された貯遊技媒体口座から交換遊技媒体数を引き落とすように前記管理装置に依頼する依頼工程とを含んだことを特徴とする。
【００２０】
また、本発明に係る景品交換方法は、同一の遊技媒体について貸出レートが異なる複数の貯遊技媒体の残高を貸出レートごとに貯遊技媒体口座として管理する管理装置と、前記貯遊技媒体と景品との交換要求に応答して当該景品との交換に要する交換遊技媒体数を引き落とすように前記管理装置に依頼する景品交換端末とを有する景品交換システムに用いる景品交換方法であって、前記管理装置が、前記景品交換端末で前記貯遊技媒体の引落し要求を行う遊技客の貯遊技媒体口座であって、当該遊技客が保有する複数の貯遊技媒体口座のうち引落し対象とする貯遊技媒体口座を特定する特定工程を含み、前記景品交換端末が、前記特定工程によって特定された貯遊技媒体口座から交換遊技媒体数を引き落とすように前記管理装置に依頼する依頼工程を含んだことを特徴とする。
【発明の効果】
【００２１】
本発明によれば、景品交換端末が、管理装置によって管理される複数の貯遊技媒体口座のうち引落し対象とする貯遊技媒体口座を特定し、特定した貯遊技媒体口座から交換遊技媒体数を引き落とすように管理装置に依頼するように構成したので、複数の貯遊技媒体口座のうちいずれかの貯遊技媒体口座の残高を用いて景品交換を行わせる場合に、遊技店（及び遊技客）のニーズに適合した貸出レートの貯遊技媒体口座を引き落としに使用させることができ、遊技店が意図する景品交換サービスを実現することが可能になるという効果が得られる。
【００２２】
また、本発明によれば、管理装置が、景品交換端末で貯遊技媒体の引落し要求を行う遊技客の貯遊技媒体口座であって、当該遊技客が保有する複数の貯遊技媒体口座のうち引落し対象とする貯遊技媒体口座を特定し、景品交換端末が、特定された貯遊技媒体口座から交換遊技媒体数を引き落とすように管理装置に依頼するように構成したので、複数の貯遊技媒体口座のうちいずれかの貯遊技媒体口座の残高を用いて景品交換を行わせる場合に、遊技店（及び遊技客）のニーズに適合した貸出レートの貯遊技媒体口座を引き落としに使用させることができ、遊技店が意図する景品交換サービスを実現することが可能になるという効果が得られる。このようにして、管理装置に引落し対象とする貯遊技媒体口座を特定する機能を実行させれば、遊技店に複数の景品交換端末が存在する場合でも景品交換端末のソフトウェア面の改変を行わずともよくなり、情報処理装置としての性能が高い管理装置に引落し対象とする貯遊技媒体口座を特定する処理を実行させることができる。
【００２３】
また、本発明によれば、複数の貯遊技媒体口座それぞれの貯遊技媒体の残高を該残高の多寡を比較可能な共通単位の価値に換算し、引落し対象とする貯遊技媒体口座として、共通単位に換算した残価値が最も多い貯遊技媒体口座を特定するように構成したので、貯遊技媒体残高の引落しを行う際に残高不足となる可能性が最も低い貯遊技媒体口座を切替え選択して景品交換を行うことができ、景品の交換可能性を向上させることができる結果、遊技店が意図する景品交換サービスを効果的に実現することが可能になるという効果が得られる。
【００２４】
また、本発明によれば、引落し対象とする貯遊技媒体口座として、特殊景品に交換不可能な貯遊技媒体口座を優先して特定するように構成したので、特殊景品に交換可能な貯遊技媒体口座が強制的に優先使用される事態を防止することができ、特定の遊技コーナーの獲得裕媒体だけを特殊景品に交換させたいというニーズを採用することができる結果、遊技店が意図する景品交換サービスを効果的に実現することが可能になるという効果が得られる。
【００２５】
また、本発明によれば、管理装置が、貯遊技媒体口座を保有する遊技客ごとに、当該遊技客が所定期間内に交換を行った景品種別ごとの交換個数を対応付けて記憶しておき、遊技客に対応付けて記憶した累積交換個数が所定値以上の景品種別が存在する場合に、当該景品種別に係る引落し依頼を棄却するように構成したので、遊技店の交換利益が低い定価販売景品の出庫数を抑えるとともに、１人の遊技客に多くの定価販売景品が独占的に交換される事態を防止することが可能になるという効果が得られる。
【００２６】
また、本発明によれば、景品に対応付けて、当該景品の販売価格と等価な小数含みの実交換遊技媒体数及び該実交換遊技媒体数を整数に調整した調整交換遊技媒体数を記憶しておき、貯遊技媒体と景品との交換要求に応答して、景品に対応付けて記憶した調整交換遊技媒体数と実交換遊技媒体数との差分値を引落し対象とする貸出レートとは異なる他の貸出レートの遊技媒体数に換算し、引落し対象とする貸出レートの貯遊技媒体口座から調整交換遊技媒体数を引き落とすように依頼するとともに、換算した遊技媒体数を他の貸出レートの貯遊技媒体口座に加算するように依頼するように構成したので、定価販売景品を交換する場合に過不足なく交換対価を徴収することができ、遊技店内にて公正な景品交換を行うことが可能になるという効果が得られる。
【００２７】
また、本発明によれば、景品に対応付けて、当該景品と等価な小数含みの実交換遊技媒体数及び該実交換遊技媒体数を整数に調整した調整交換遊技媒体数を記憶しておき、貯遊技媒体と景品との交換要求に応答して、景品に対応付けて記憶した調整交換遊技媒体数と実交換遊技媒体数との差分値を関連付けた交換用記録媒体を発行するように制御するように構成したので、現物投入で景品交換を行う場合（非会員が景品交換を行う場合）でも定価販売景品を交換する際に過不足なく交換対価を徴収することが可能になるという効果が得られる。
【発明を実施するための最良の形態】
【００２８】
以下に添付図面を参照して、本発明に係る景品交換システム、景品交換端末及び景品交換方法の好適な実施例を詳細に説明する。なお、以下では、本発明をパチンコ遊技に適用する場合について説明することとする。
【実施例１】
【００２９】
まず、本実施例１に係る遊技店の店内システムのシステム構成について説明する。図１は、実施例１に係る遊技店の店内システムのシステム構成を示す図である。なお、本実施例１では、パチンコ玉を１玉４円で貸し出す４円コーナーとパチンコ玉を１玉１円で貸し出す１円コーナーが遊技店内に併設される場合について説明することとする。
【００３０】
同図に示すように、店内システムには、遊技店にて予め登録処理された遊技客の会員情報を管理する会員管理用ターミナルコントローラ（以下、「会員管理Ｔ／Ｃ」と言う）１０と、島コントローラ２０と、カード処理ユニット（以下、「ＣＲユニット」と言う）３０ａ及び３０ｂと、パチンコ機４０ａ及び４０ｂと、計数機５０と、会員カード処理機６０と、景品管理装置７０と、自販機子機８０とが設けられている。なお、ここでは、ＣＲユニット及びパチンコ機に付した符号のうち英文字ａ及びｂはその機器が所属する貸出レートを指しているが、貸出レートに係る差異がない説明を行う場合には、かかる英文字を省略し、単に、ＣＲユニット３０、パチンコ機４０と記載して説明を行う。
【００３１】
そして、会員管理Ｔ／Ｃ１０には、島コントローラ２０、会員カード処理機６０及び景品管理装置７０が接続されており、島コントローラ２０には、各島に設置された複数のパチンコ機４０ａ及び４０ｂそれぞれに併設されたＣＲユニット３０ａ及び３０ｂが接続されており、会員カード処理機６０には、パチンコ玉数を計数する計数機５０が接続されており、また、景品管理装置７０には、特殊景品の払出しを行う景品払出機７５及び自販機子機８０が接続されている。なお、自販機子機８０には、自販機子機８０の許可に基づきタバコの投出を行うタバコ交換機９０がさらに接続されている。
【００３２】
ここで、本実施例１では、ＣＲユニット３０ａ及びパチンコ機４０ａからなる４円コーナーと、ＣＲユニット３０ｂ及びパチンコ機４０ｂからなる１円コーナーとが設けられている。この４円コーナーは、遊技客に対して４円／玉の貸出レートで玉貸しを行う島であり、１円コーナーは、遊技客に対して１円／玉の貸出レートで玉貸しを行う島である。４円／玉の汎用貸出レートよりも低い１円／玉の１円コーナーを設けた理由は、主として、遊技客による試し打ちを可能にするとともに、遊技機に対する遊技客の客付きや評価に関する情報を得るためである。なお、本実施例１では、貸出レート「４円／玉」を玉１と呼称し、貸出レート「１円／玉」を玉２と呼称することとする。
【００３３】
ＣＲユニット３０ａは、現金またはプリペイドカードによる４円／玉の玉貸し及び会員カードを用いた貯玉の再プレイを行うユニットであり、例えばこのＣＲユニット３０ａに１０００円札が挿入されると、このＣＲユニット３０ａからパチンコ機４０ａに対して２５０玉の玉投出指示がなされる。一方、ＣＲユニット３０ｂは、現金による１円／玉の玉貸し及び会員カードを用いた貯玉の再プレイを行うユニットであり、例えばこのＣＲユニット３０ｂに１０００円札が挿入されると、５００円分（＝５００玉）をパチンコ機４０ｂに払い出させるとともに残額（５００円）を記憶しておき、次の貸出指令を受ければ、その残額分をパチンコ機４０ｂに投出させる。
【００３４】
パチンコ機４０ａ及びパチンコ機４０ｂは、パチンコ玉を用いたパチンコ遊技を遊技客に提供する遊技機であり、両者には４円コーナー及び１円コーナーに係る差異はない。ただし、１円コーナーに配設されるパチンコ機４０ｂは、遊技店の売上を担う遊技機ではなく、これから遊技店に新たに導入される新台が配設されることが多い。遊技客が大きな投資をすることなく新台の試し打ちを可能にするとともに、低料金で比較的長い時間楽しんでもらえる遊技を提供するためである。
【００３５】
遊技客は、これらのＣＲユニット３０ａ及び３０ｂを用いて貯玉の再プレイを行うことができ、遊技客がＣＲユニット３０ａ又は３０ｂのカード挿入口に会員カードを挿入した状態でテンキーから暗証番号を入力して所定の再プレイボタンを押下操作すると、会員ＩＤ、暗証番号及びＣＲユニット３０に接続される遊技台の台番号を含む再プレイ要求（引落し要求）が会員管理Ｔ／Ｃ１０に対して送信され、貯玉残高の範囲内で貯玉を引き落とすことができる。なお、ここでは一度の再プレイ操作で貯玉口座から引き出される玉数は固定であるものとする。
【００３６】
計数機５０は、遊技客が獲得したパチンコ玉を計数する計数機であり、その計数結果を会員カード処理機６０に出力する。なお、本実施例１では、計数機５０はパチンコ玉の計数機能のみを有することとし、計数結果がバーコード印字された計数レシートを発行する印字機能、並びに、会員管理Ｔ／Ｃ１０にて記憶管理される該当貸出レートの貯玉口座に計数結果の一部または全部を貯玉加算させる計数貯玉機能は、後述する会員カード処理機６０が有することとする。
【００３７】
会員カード処理機６０は、既登録会員による貯玉を行う際に利用される会員用端末装置であり、会員カードに記録した会員ＩＤを読み取るカードリーダを備えている。具体的には、計数機５０から計数結果が入力され、遊技客から受け取った会員カードが遊技店の係員によりカード挿入口に挿入され、獲得玉の遊技コーナーの所属貸出レート（玉１又は玉２の種別）が指定されると、会員ＩＤ、計数結果であるパチンコ玉の貯玉数、貸出レートを含む貯玉加算依頼が会員管理Ｔ／Ｃ１０に対して送信される。
【００３８】
また、会員カード処理機６０は、計数機５０で計数されたパチンコ玉数をバーコード印刷した計数レシートを発行することもでき、係員がパチンコ玉の計数時に貸出レートを指定してレシート発行ボタンを押下操作すると、パチンコ玉数、貸出レート、発行日時及び計数機番号がバーコード印刷された計数レシートが発行される。
【００３９】
なお、本実施例１では、一台の計数機５０を用いて４円コーナーで遊技客が獲得したパチンコ玉と１円コーナーで遊技客が獲得したパチンコ玉の両方を計数することとしたが、本発明はこれに限定されるものではなく、４円コーナー専用の計数機と１円コーナー専用の計数機とを別個に配設することもできる。かかる場合には、係員に上記貸出レートを指定させる必要をなくすことができる。
【００４０】
会員管理Ｔ／Ｃ１０は、会員管理テーブルを用いて遊技店に登録された会員の統括管理を行う管理装置である。この会員管理テーブルは、会員ＩＤ、４円コーナー及び１円コーナーの貯玉残高及び属性情報を対応付けて記憶している。そして、会員カード処理機６０又は景品管理装置７０から貯玉加算依頼を受け付けたならばこの貯玉加算依頼に含まれる会員ＩＤ及び貸出レートに該当する貯玉口座内の貯玉残高を加算処理し、ＣＲユニット３０、景品管理装置７０又は自販機子機８０から貯玉減算依頼を受け付けたならばこの貯玉減算依頼に含まれる会員ＩＤ及び貸出レートに該当する貯玉口座内の貯玉残高を減算処理する。
【００４１】
景品管理装置７０は、遊技店内の景品交換カウンタに配設された景品交換用の端末装置であり、交換玉数管理テーブルを用いて獲得玉と景品との交換を管理する。この交換玉数管理テーブルは、各景品に貸出レートごとの交換玉数を対応付けて記憶している。そして、景品交換カウンタ内の従業員が、計数機５０により発行された計数レシートを遊技客から受け取ると、この計数レシートから獲得玉数及び貸出レートをバーコードリーダで読み取るとともに、遊技客により指定された景品に対応する交換ボタンを押下し、当該景品に関して計数レシートから読み取った貸出レートに合致する交換玉数を獲得玉数から減算する交換処理を実行させ、その後に従業員による手作業で遊技客に受け渡す。また、遊技客が特殊景品への交換を希望する場合には、従業員はこの景品管理装置７０に設けられた特殊景品交換ボタンを押下し、交換玉数管理テーブルを参照して貸出レートごとの獲得玉数に応じた特殊景品の払い出しを景品払出機７５に指示する。なお、計数レシートを用いた景品交換だけではなく、会員カードを通じて貯玉を用いた景品交換を行うこともできる。
【００４２】
また、景品管理装置７０は、計数レシートに印刷されたバーコードからパチンコ玉数及び貸出レートを読み取って景品交換時に利用するだけではなく、計数レシートを用いた貯玉、いわゆるレシート貯玉を行うこともできる。具体的には、この景品管理装置７０に設けられたバーコードリーダで計数レシートを読み取るとともに、カードリーダに会員カードを挿入して貯玉ボタンを押下すると、会員ＩＤ、パチンコ玉数、貸出レート（玉１又は玉２の種別）が含まれる貯玉依頼信号が会員管理Ｔ／Ｃ１０に対して送信される。
【００４３】
自販機子機８０は、パチンコ玉（貸し玉又は獲得玉）とタバコとの交換制御を行う端末であり、遊技客が交換を希望する銘柄のタバコと等価な玉数のパチンコ玉を徴収して当該銘柄のタバコを自販機子機８０に投出させる。具体的には、遊技客によってパチンコ玉が投入されると、投入玉数が交換玉数を超える銘柄のタバコを交換景品として選択できるように後述するタバコ交換機９０のディスプレイ部９１０の選択ボタンを点灯させ、この選択ボタンを通じてタバコの銘柄選択を受け付けると、投入玉を所定の貯留部に格納（徴収）して当該銘柄のタバコの投出をタバコ交換機９０に許可する。
【００４４】
また、自販機子機８０は、会員カードに関連付けられた貯玉を用いてタバコ交換を行うこともできる。具体的には、遊技客によって会員カードが挿入されると、この会員カードから会員ＩＤを読み取って各貸出レートの貯玉口座の残高を会員管理Ｔ／Ｃ１０に問い合わせ、後述するように、引落し対象とする貯玉口座が特定し、当該貯玉口座の残高が交換玉数を超える銘柄のタバコを交換景品として選択できるようにタバコ交換機９０のディスプレイ部９１０の選択ボタンを点灯させ、この選択ボタンを通じてタバコの銘柄選択を受け付けると、当該銘柄のタバコの交換玉数を引落し口座から減算（引落し）するように会員管理Ｔ／Ｃ１０に依頼し、その後、会員管理Ｔ／Ｃ１０から減算完了応答を受け付けると、当該銘柄のタバコの投出をタバコ交換機９０に許可する。
【００４５】
ここで、本実施例１に係る自販機子機８０は、会員管理Ｔ／Ｃ１０によって管理される複数の貯玉口座のうち引落し対象とする貯玉口座を特定し、該特定した貸出レートに対応する貯玉口座から交換玉数を引き落とすように会員管理Ｔ／Ｃ１０に依頼する点にその特徴がある。
【００４６】
すなわち、本実施例１に係る自販機子機８０では、複数の貯玉口座のうちいずれかの貯玉残高を用いて景品交換を行うに際して、同一の貸出レートの貯玉口座から順番に交換対価を引き落としはしない。つまり、たとえば貯玉残高の引落しを行う際に残高不足となる可能性が最も低い貯玉口座を切替え選択して景品交換を行うことができるようにしている。
【００４７】
例えば、図２に示すように、遊技客が４円口座の残高を４０個、１円口座の残高を４８０個を保有し、３００円のタバコＡを交換しようとした時、上記した従来技術のように、貯玉口座の引落しを「４円口座→１円口座」の順に固定していたのでは、４円口座の残高「４０個」が交換玉数「７５個（＝３００円÷４円／玉）」に満たないので交換を行うことができないが、４円口座及び１円口座の残高それぞれを金額換算し、該換算した４円口座の残価値「１６０円」と１円口座の残価値「４８０円」を比較して残価値が多い方の１円口座を引落し対象の貯玉口座と特定すれば、１円口座の残高「４８０個」が交換玉数「３００個」以上存在するので、当該遊技客がタバコＡを交換することができる。
【００４８】
このため、遊技客による「景品交換したい」というニーズ、並びに、遊技客による「景品交換してほしい」というニーズの双方を満たすことができ、遊技店（及び遊技客）のニーズに適合した貸出レートの貯玉口座を引き落としに使用させることができる。
【００４９】
したがって、本実施例１に係る自販機子機８０によれば、複数の貯玉口座のうちいずれかの貯玉口座の残高を用いて景品交換を行わせる場合に、遊技店（及び遊技客）のニーズに適合した貸出レートの貯玉口座を引き落としに使用させることができ、遊技店が意図する景品交換サービスを実現することが可能になる。
【００５０】
続いて、本実施例１に係る自販機子機８０及びタバコ交換機９０の外観構成を説明する。図３は、実施例１に係る自販機子機８０及びタバコ交換機９０の外観構成を示す図である。
【００５１】
同図に示すように、自販機子機８０は、縦長の直方体型の筐体として構成したものであり、その本体部前面の上寄りから下方に向かって順に、投入玉の個数表示や貯玉残高等の表示を行う表示部８２、交換取引の中止を受け付ける交換中止ボタン８１０、会員カードの返却を受け付けるカード返却ボタン８１１、会員カードの挿入を受け付けるカード挿入口８３０、投入玉を受け入れる投入玉受入部８５ａ及び投入玉を返却する投入玉返却部８５ｂを有する。
【００５２】
パチンコ玉のタバコ交換を希望する遊技客は、保有するパチンコ玉を投入玉受入部８５ａに投入するか、或いは会員カードをカード挿入口８３０を介して挿入するかによって景品の交換対価を自販機子機８０に投入する。
【００５３】
このようにして、自販機子機８０にて会員カードに関連付けられた貯玉残高または投入玉が受け付けられると、タバコ交換機９０のディスプレイ部９１０において、現存する投入玉数または貯玉残高が交換玉数以上である銘柄のタバコについてはその選択ボタンが点灯され、タバコ交換が許可される一方で、投入玉数または貯玉残高が不足する銘柄のタバコについてはその選択ボタンが消灯されたままであり、タバコ交換は許可されない。この段階で交換中止ボタン８１０又はカード返却ボタン８１１が押下操作されると、交換取引は中止され、パチンコ玉の現物投入が行われている場合には、投入玉返却部８５ｂから投入玉が返却され、また、会員カードの挿入が行われている場合には、カード挿入口８３０から会員カードが返却される。
【００５４】
そして、タバコ交換が許可されると、遊技客は、ディスプレイ部９１０の希望銘柄の選択ボタンを押下し、タバコ投出部９２０へ投出されるタバコを手に入れることができる。なお、この時、投入玉数が交換タバコの交換玉数を上回る場合には、投入玉返却部８５ｂから投入玉が返却される。また、会員カードが挿入されている場合には、カード挿入口８３０から会員カードが返却される。
【００５５】
次に、本実施例１に係る自販機子機８０の内部構成を説明する。図４は、実施例１に係る自販機子機８０の構成を示す機能ブロック図である。同図に示すように、自販機子機８０は、操作部８１と、表示部８２と、カード処理部８３と、通信Ｉ／Ｆ部８４と、投入玉受入部８５ａと、投入玉返却部８５ｂと、計数部８６ａと、一時貯留部８６ｂと、貯留部８６ｃと、記憶部８７と、制御部８８とを有する。なお、ここでは、貯玉を用いたタバコ交換を行う場合だけ複数の貯玉口座を選択的に使用することを認め、現物投入でタバコ交換を行う場合には玉１のパチコン玉の使用だけを認めることとする。
【００５６】
操作部８１は、図３に示した交換中止ボタン８１０やカード返却ボタン８１１等の操作ボタンの総称であり、表示部８２は、投入玉の個数表示や貯玉残高等の表示を行う表示デバイスである。
【００５７】
カード処理部８３は、カード挿入口８３０から挿入された各種カードからデータの読み取り等を行う制御ユニットであり、例えば、遊技客（会員）が保有する会員カードを受け入れて会員ＩＤを読み取り、該読み取った会員ＩＤを貯玉更新依頼部８８ｂに出力する。
【００５８】
通信Ｉ／Ｆ部８４は、当該計数機５０と他の装置（例えば、会員管理Ｔ／Ｃ１０、景品管理装置７０及びタバコ交換機９０などの他の装置）との間で各種通信を行うためのインターフェースである。
【００５９】
投入玉受入部８５ａは、パチンコ玉を保持可能な受け皿などによって構成され、遊技客によって投入されるパチンコ玉を受け入れて計数部８６ａへ送出する。また、投入玉返却部８５ｂは、投入玉受入部８５ａと同様に、パチンコ玉を保持可能な受け皿などによって構成されるが、返却される投入玉を保持する点において用途が相違する。
【００６０】
計数部８６ａは、投入玉受入部８５ａから送出されるパチンコ玉を計数する処理部であり、その投入玉数を交換制御部８８ａに出力する。一時貯留部８６ｂは、計数部８６ａによって計数された後の投入玉を交換制御部８８ａによってタバコ交換が許可されるまで一時的に貯留しておく貯留部である。また、貯留部８６ｃは、一時貯留部８６ｂによって一時的に貯留されている投入玉を貯留する貯留部であり、具体的には、交換制御部８８ａによってタバコ交換が許可されると、一時貯留部８６ｂから投入玉が送出されるのでその投入玉が交換対価として格納される。
【００６１】
記憶部８７は、制御部８８による各種処理に必要なデータおよびプログラムを記憶する不揮発性メモリ等の記憶デバイスであり、併せて、景品との交換に要する交換玉数を管理する交換玉数管理テーブル８７ａを記憶する。
【００６２】
交換玉数管理テーブル８７ａは、図５に示すように、景品マスタ、すなわち景品名ごとに各貸出レートの交換玉数を記憶したテーブルである。図５に示す例では、玉１が４円／玉、玉２が１円／玉であり、玉２の玉単価は玉１の４分の１であるため、玉２の各景品の交換玉数は玉１の各景品の交換玉数の４倍の玉数が設定されており、玉１においては、タバコＡを７５個で交換し、タバコＢを８０個で交換し、タバコＣを７３個で交換し、タバコＮを７８個で交換するように定められており、一方、玉２においては、タバコＡを３００個で交換し、タバコＢを３２０個で交換し、タバコＣを２９０個で交換し、タバコＮを３１０個で交換するように定められている。
【００６３】
制御部８８は、自販機子機８０を全体制御する制御部であり、交換制御部８８ａと、貯玉更新依頼部８８ｂと、引落し口座特定部８８ｃとを有する。実際には、これらの機能部に対応するプログラムを図示しないＲＯＭや不揮発性メモリに記憶しておき、これらのプログラムをＣＰＵにロードして実行し、交換制御部８８ａ、貯玉更新依頼部８８ｂ及び引落し口座特定部８８ｃにそれぞれ対応するプロセスを実行させることになる。
【００６４】
交換制御部８８ａは、タバコ交換機９０に対するタバコの交換制御を行う処理部であり、具体的には、現物投入でタバコ交換が行われる場合には、交換玉数管理テーブル８７ａを参照して計数部８６ａによって計数された投入玉数が交換玉数（玉１のフィールド参照）以上であるタバコの銘柄だけ選択を受け付けるようにタバコ交換機９０に指示することで、タバコ交換機９０のディスプレイ部９１０にて当該銘柄のタバコに対応する選択ボタンだけ点灯させ、この選択ボタンの押下操作を通じて遊技客が希望するタバコの銘柄が指定されると、一時貯留部８６ｂで一時的に貯留されている投入玉から当該銘柄のタバコの交換玉数分のパチンコ玉を減算徴収し、タバコ交換機９０に対して投出許可を行って選択銘柄のタバコを投出させるとともに、余りの投入玉を投入玉返却部８５ｂから返却させる。
【００６５】
また、貯玉を用いてタバコ交換が行われる場合には、交換玉数管理テーブル８７ａを参照して引落し口座特定部８８ｃによって特定された貯玉口座の残高が交換玉数（引落し口座の貸出レートに対応する玉１または玉２いずれかのフィールド参照）以上であるタバコの銘柄だけ選択を受け付けるようにタバコ交換機９０に指示することで、タバコ交換機９０のディスプレイ部９１０にて当該銘柄のタバコに対応する選択ボタンだけを点灯させ、この選択ボタンの押下操作を通じて遊技客が希望するタバコの銘柄が指定されると、貯玉更新依頼部８８ｂから貯玉の減算完了応答が転送されると、タバコ交換機９０に対して投出許可を行って選択銘柄のタバコを投出させるとともに、カード挿入口８３０から会員カードを返却する。
【００６６】
貯玉更新依頼部８８ｂは、会員管理Ｔ／Ｃ１０によって管理される遊技客の貯玉口座に対する更新依頼を行う処理部であり、具体的には、ディスプレイ部９１０の選択ボタンの押下操作を通じて遊技客が希望するタバコの銘柄が指定された場合に、引落し口座特定部８８ｃによって特定された貯玉口座の残高から指定銘柄の交換玉数を減算するように会員管理Ｔ／Ｃ１０に依頼する。なお、この貯玉減算依頼を受け付けた会員管理Ｔ／Ｃ１０では、当該貯玉口座の残高から指定銘柄の交換玉数を減算して減算完了応答を行う。
【００６７】
引落し口座特定部８８ｃは、会員管理Ｔ／Ｃ１０によって管理される複数の貯玉口座のうち引落し対象とする貯玉口座（引落し口座）を特定する処理部である。具体的には、カード挿入口８３０に会員カードが挿入され、カード処理部８３によって会員カードの会員ＩＤが読み取られると、貯玉更新依頼部８８ｂによって当該会員ＩＤの各貯玉口座の残高が会員管理Ｔ／Ｃ１０に問い合わされるので、４円口座の残高及び１円口座の残高にぞれぞれの玉単価（玉１：４円／玉、玉２：１円／玉）を乗算して各貯玉口座の残高を金額に換算し、４円口座の残金額と１円口座の残金額とを比較して残金額が多い方の口座を引落し口座と特定する。
【００６８】
次に、本実施例１に係る自販機子機８０の処理の流れを説明する。なお、本実施例１では、投入玉を用いてタバコ交換を行う処理にその特徴はないため、貯玉を用いたタバコ交換処理について詳述する。
【００６９】
図６は、実施例１に係る貯玉を用いたタバコ交換処理の手順を示すフローチャートである。同図に示すように、カード挿入口８３０に会員カードが挿入されると（ステップＳ１０１肯定）、カード処理部８３によって会員カードの記録情報（会員ＩＤ）が読み取られ（ステップＳ１０２）、その後に、貯玉更新依頼部８８ｂによって当該会員ＩＤの各貯玉口座の残高が会員管理Ｔ／Ｃ１０に問い合わされる（ステップＳ１０３）。
【００７０】
ここで、引落し口座特定部８８ｃは、各貯玉口座の残高にぞれぞれの玉単価（玉１：４円／玉、玉２：１円／玉）を乗算して各貯玉口座の残金額に換算し（ステップＳ１０４）、該換算した各貯玉口座の残金額のうち残金額が多い方の口座を引落し口座と特定する（ステップＳ１０５）。
【００７１】
このとき、交換玉数管理テーブル８７ａ内に記憶された各銘柄のタバコの交換玉数のうち最低の交換玉数（以下、「最低交換玉数」と言う）に引落し口座の残高が満たない場合（ステップＳ１０６否定）には、貯玉残高が不足している旨の画面表示を表示部８２に表示させ（ステップＳ１０７）、カード挿入口８３０から会員カードを返却し（ステップＳ１１３）、処理を終了する。
【００７２】
一方、引落し口座の残高が最低交換玉数以上である場合（ステップＳ１０６肯定）には、交換制御部８８ａは、交換玉数管理テーブル８７ａを参照して引落し口座の残高が交換玉数以上であるタバコの銘柄だけ選択を受け付けるようにタバコ交換機９０に指示する（ステップＳ１０８）。なお、この指示を受け付けたタバコ交換機９０では、引落し口座の残高が足りているタバコの銘柄に対応するディスプレイ部９１０内の選択ボタンだけ点灯させる。
【００７３】
その後、交換を行う遊技客によってタバコ交換機９０のディスプレイ部９１０内で点灯している選択ボタンが押下され、該押下された選択ボタンに対応するタバコの銘柄が選択景品情報として自販機子機８０に通知される。
【００７４】
そして、タバコ交換機９０から選択景品情報（タバコ銘柄の指定情報）を受信すると（ステップＳ１０９肯定）、貯玉更新依頼部８８ｂは、引落し口座の残高から指定銘柄の交換玉数を減算するように会員管理Ｔ／Ｃ１０に依頼し（ステップＳ１１０）、会員管理Ｔ／Ｃ１０から減算完了応答を受信すると（ステップＳ１１１）、交換制御部８８ａは、タバコ交換機９０に対して投出許可を行って選択銘柄のタバコを投出させるとともに（ステップＳ１１２）、カード挿入口８３０から会員カードを返却し（ステップＳ１１３）、処理を終了する。
【００７５】
また、タバコ交換機９０からの選択景品情報を受信待機している場合（ステップＳ１０９否定）に、交換中止ボタン８１０又はカード返却ボタン８１１の押下操作を受け付けると（ステップＳ１１４肯定）、交換取引は中止され、交換制御部８８ａは、カード挿入口８３０から会員カードを返却し（ステップＳ１１３）、処理を終了する。
【００７６】
上述してきたように、本実施例１に係る自販機子機８０によれば、会員管理Ｔ／Ｃ１０によって管理される複数の貯玉口座の残高を問い合わせ、問い合わせた各貯玉口座の残高を金額価値に換算し、該換算した残金額が最も多い貯玉口座を引落し口座として特定し、特定した引落し口座から交換玉数を引き落とすように会員管理Ｔ／Ｃ１０に依頼するように構成したので、貯玉残高の引落しを行う際に残高不足となる可能性が最も低い貯玉口座を切替え選択して景品交換を行うことができ、景品の交換可能性を向上させることができる結果、遊技店が意図する景品交換サービスを効果的に実現することが可能である。
【実施例２】
【００７７】
ところで、上記した実施例１では、各貯玉口座のうち最も残金額が多い口座を引落し口座として特定する場合を説明したが、他の手法を用いて引落し口座を特定することもできる。
【００７８】
すなわち、遊技店においては、４円コーナーの獲得玉については特殊景品への交換を許可する一方で１円コーナーの獲得玉については特殊景品への交換を禁止する運用を採用することが望まれているが、上記した従来技術のように、貯玉口座の引落しを「４円口座→１円口座」の順に固定していたのでは、特殊景品に交換可能な４円口座を使用しなければ一般景品との交換を行うことができず、特殊景品に交換不能な１円口座の残高が残りやすくなるため、遊技店の交換利益が増加する反面で遊技客から過度の反発を招くことになる結果、かかる大きな不利益を招く運用を採用することは難しい。
【００７９】
そこで、本実施例２では、特殊景品に交換不可能な貯玉口座を引落し口座として優先的に特定するように構成することで、特殊景品に交換可能な貯玉口座が強制的に優先使用される事態を防止することができ、特定の遊技コーナーの獲得玉だけを特殊景品に交換させたいというニーズを採用することができる結果、遊技店が意図する景品交換サービスを効果的に実現することが可能になる。
【００８０】
なお、本実施例２では、上記した引落し口座の特定を行う点で引落し口座特定部の処理内容が異なる他は実施例１と構成及び機能に差異はないため、その説明は省略する。また、以下では、実施例１に係る自販機子機８０と区別するため、本実施例２に係る自販機子機の符号を２００、引落し口座特定部の符号を２１０として、この自販機子機２００の処理の流れを説明する。
【００８１】
図７は、実施例２に係る貯玉を用いたタバコ交換処理の手順を示すフローチャートである。なお、このフローチャートでは、実施例１と同一の処理内容のステップについては同一の番号を付し、相違する処理内容のステップについては異なる番号を付している。
【００８２】
同図に示すように、カード挿入口８３０に会員カードが挿入されると（ステップＳ１０１肯定）、カード処理部８３によって会員カードの記録情報（会員ＩＤ）が読み取られ（ステップＳ１０２）、その後に、貯玉更新依頼部８８ｂによって当該会員ＩＤの各貯玉口座の残高が会員管理Ｔ／Ｃ１０に問い合わされる（ステップＳ１０３）。
【００８３】
ここで、引落し口座特定部２１０は、特殊景品に交換不能な貸出レートに対応する貯玉口座（玉２に対応する１円口座）を引落し口座と特定する（ステップＳ２０１）。なお、本実施例２では、特殊景品に交換不能な貯玉口座が１円口座だけであるため、自動的に１円口座が引落し口座と特定されることとしたが、複数存在する場合には、特殊景品に交換不能な貯玉口座間で使用優先順序をさらに設定するようにしてもよい。
【００８４】
このとき、引落し口座の残高が最低交換玉数未満である場合（ステップＳ１０６否定）には、引落し口座ではないもう一方の貯玉口座（玉１に対応する４円口座）が引落し口座と再特定され、該再特定された引落し口座の残高が最低交換玉数以上であるか否かを確認し（ステップＳ２０２）、その結果、いずれの貯玉口座も最低交換玉数に満たない場合（ステップＳ１０６否定かつステップＳ２０２否定）には、貯玉残高が不足している旨の画面表示を表示部８２に表示させ（ステップＳ１０７）、カード挿入口８３０から会員カードを返却し（ステップＳ１１３）、処理を終了する。
【００８５】
一方、いずれかの貯玉口座が最低交換玉数以上である場合（ステップＳ１０６肯定又はステップＳ２０２肯定）には、交換制御部８８ａは、交換玉数管理テーブル８７ａを参照して引落し口座の残高が交換玉数以上であるタバコの銘柄だけ選択を受け付けるようにタバコ交換機９０に指示する（ステップＳ１０８）。なお、この指示を受け付けたタバコ交換機９０では、引落し口座の残高が足りているタバコの銘柄に対応するディスプレイ部９１０内の選択ボタンだけ点灯させる。
【００８６】
その後、交換を行う遊技客によってタバコ交換機９０のディスプレイ部９１０内で点灯している選択ボタンが押下され、該押下された選択ボタンに対応するタバコの銘柄が選択景品情報として自販機子機２００に通知される。
【００８７】
そして、タバコ交換機９０から選択景品情報（タバコ銘柄の指定情報）を受信すると（ステップＳ１０９肯定）、貯玉更新依頼部８８ｂは、引落し口座の残高から指定銘柄の交換玉数を減算するように会員管理Ｔ／Ｃ１０に依頼し（ステップＳ１１０）、会員管理Ｔ／Ｃ１０から減算完了応答を受信すると（ステップＳ１１１）、交換制御部８８ａは、タバコ交換機９０に対して投出許可を行って選択銘柄のタバコを投出させるとともに（ステップＳ１１２）、カード挿入口８３０から会員カードを返却し（ステップＳ１１３）、処理を終了する。
【００８８】
また、タバコ交換機９０からの選択景品情報を受信待機している場合（ステップＳ１０９否定）に、交換中止ボタン８１０又はカード返却ボタン８１１の押下操作を受け付けると（ステップＳ１１４肯定）、交換取引は中止され、交換制御部８８ａは、カード挿入口８３０から会員カードを返却し（ステップＳ１１３）、処理を終了する。
【００８９】
上述してきたように、本実施例２に係る自販機子機２００によれば、特殊景品に交換不可能な貯玉口座を引落し口座として優先的に特定するように構成したので、特殊景品に交換可能な貯玉口座が強制的に優先使用される事態を防止することができ、特定の遊技コーナーの獲得玉だけを特殊景品に交換させたいというニーズを採用することができる結果、遊技店が意図する景品交換サービスを効果的に実現することが可能である。
【実施例３】
【００９０】
次に、本実施例３に係る自販機子機について説明する。本実施例３に係る自販機子機３００は、景品に対応付けて、当該景品の販売価格と等価な小数含み実交換玉数及び該実交換玉数を整数に調整した調整交換玉数を記憶しておき、貯玉と景品との交換要求に応答して、景品に対応付けて記憶した調整交換玉数と実交換玉数との差分値を引落し対象とする貸出レートとは異なる他の貸出レートの遊技媒体数に換算し、引落し対象とする貸出レートの貯玉口座から調整交換玉数を引き落とすように依頼するとともに、換算した玉数を他の貸出レートの貯玉口座に加算するように依頼する点にその特徴がある。
【００９１】
すなわち、上記した従来技術において定価販売の景品を交換する場合には、景品の販売価格が玉単価で割り切れるとは限らないため、交換玉数の実質価値と景品の販売価格との間で価値の差が生じることがあるが、現状では、小数を含む交換玉数を景品交換時に扱うことができないため、整数に調整した調整交換玉数（例えば、小数部分を切り上げた交換玉数）を遊技客から徴収する運用が行われている。このため、例えば定価「２９０円」で販売されるタバコＣを４円貯玉の玉７３個で交換した場合、玉７３個＝２９２円となり、遊技客から２円を余分に徴収してしまう事態が生じる。
【００９２】
そこで、本実施例３では、一度は４円口座から調整交換玉数を減算（徴収）しながらも、販売価格（定価）に相当する実際交換玉数と調整交換玉数との差分値、すなわち交換を希望する遊技客から過徴収してしまう端数（小数含みの玉数）を引落し口座とは別の貯玉口座に加算（補填）することにより、定価販売景品を交換する場合に過不足なく交換対価を徴収することができるようにしている。
【００９３】
例えば、図８に示すように、２９０円で定価販売されるタバコＣについて、実交換玉数が７２．５個（＝２９０円÷４円／玉）、この小数部分を切り上げた７３個が調整交換玉数と定められているとした時、まずは調整交換玉数「７３個」を４円口座から徴収しておき、その一方で調整交換玉数と実交換玉数の差分値（過徴収分の端数である０．５個）に玉１の玉単価（４円／玉）を乗算して玉２と仮定した場合の玉数「２個」に換算し、換算後の過徴収分の端数「２個」を１円口座に加算（補填）する。
【００９４】
このように、本実施例３では、調整交換玉数に相当する金額「２９２円（＝７３個）」を徴収しつつも、結果として、２９０円のタバコＣを供与するとともに過徴収分の端数に相当する金額「２円」を補填することができ、定価販売景品を交換する場合に過不足なく交換対価を徴収することができ、遊技店内にて公正な景品交換を行うことが可能になる。
【００９５】
続いて、本実施例３に係る自販機子機３００の構成を説明する。なお、ここでは、販売価格として整数が設定される限りは、玉２（１円／玉）の交換玉数に小数が生ずることはないため、玉１（４円／玉）の実交換玉数に小数が含まれるタバコと４円口座の貯玉との間でタバコ交換を行う場合に過徴収分の端数をいかにして１円口座に補填するかを詳述し、４円口座を引落し口座としたタバコ交換だけを許容することとする。
【００９６】
図９は、実施例３に係る自販機子機３００の構成を示す機能ブロック図である。なお、図９では、実施例１と同様の構成及び機能を発揮する機能部については同一の符号を付している。このため、同一の符号を付した機能部については重複を避けるためにその説明を省略することとする。
【００９７】
同図に示すように、自販機子機３００は、交換玉数管理テーブル８７ａに代えて、玉１に対応する小数含みの実交換玉数を記憶する玉１用交換玉数管理テーブル３１０を有する点が実施例１と相違する。
【００９８】
この玉１用交換玉数管理テーブル３１０は、図１０に示すように、景品ごとに当該景品の調整交換玉数、実交換玉数及び補填フラグを対応付けて記憶する。ここで、補填フラグとは、調整交換玉数の徴収時に過徴収となり、補填を要するか否かを表すフラグであり、図中の「○」がオン状態（補填要）を示し、また、「×」がオフ状態（補填不要）を示している。図１０に示す玉１用交換玉数管理テーブル３１０では、タバコＣ及びタバコＮの交換を行う際に引落し口座とは別の口座（１円口座）に過徴収分の端数を補填する必要があることを示している。
【００９９】
また、自販機子機３００は、端数算出部３２０、端数換算部３３０及び補填依頼部３４０を制御部８８に内在する点が相違する。このうち、端数算出部３２０は、交換対象として指定された銘柄のタバコの補填フラグがオンである場合に、当該指定銘柄のタバコの調整交換玉数と実交換玉数の差分値を算出する処理部であり、具体的には、調整交換玉数から実交換玉数を減算して過徴収分の端数を算出する。なお、この調整交換玉数は、必ずしも実交換玉数の小数部分を切り上げたものである必要はなく、整数に調整されていればよく、例えば一の位を切り上げたり、所定数を加えて切のよい数にするようにしてもよい。
【０１００】
端数換算部３３０は、端数算出部３２０によって算出された過徴収分の端数を引落し口座の貸出レートとは異なる他の貸出レートの玉数に換算する処理部である。具体的には、引落し口座の貸出レート「玉１」における小数含みの端数に玉１の玉単価（４円／玉）を乗算して引落し口座とは別の口座（以下、「補填口座」と言う）の貸出レート「玉２」と仮定した場合の玉数に換算する。なお、ここでは、玉１における端数を玉２と仮定した場合の玉数に換算する際に玉１の玉単価を乗算することとしたが、単位貸出レートである玉２以外の貸出レート（例えば、玉３：２円／玉）に換算する場合には、両者の玉単価の比を用いて換算する必要がある。
【０１０１】
補填依頼部３４０は、端数換算部３３０によって換算された玉数を引落し口座とは別の貸出レートの貯玉口座に加算するように会員管理Ｔ／Ｃ１０に依頼する処理部である。具体的には、端数換算部３３０による換算後の過徴収分の端数を１円口座に加算（補填）するように依頼する。
【０１０２】
次に、本実施例３に係る自販機子機３００の処理の流れを説明する。なお、本実施例３では、引落し口座とは別の補填口座に換算後の過徴収分の端数を加算させる点に特徴があり、この特徴は貯玉の使用を前提としているため、貯玉を用いたタバコ交換処理について詳述する。
【０１０３】
図１１は、実施例３に係る貯玉を用いたタバコ交換処理の手順を示すフローチャートである。なお、ここでは、前述したように４円口座を引落し口座としたタバコ交換だけを許容した場合を示す。
【０１０４】
同図に示すように、カード挿入口８３０に会員カードが挿入されると（ステップＳ３０１肯定）、カード処理部８３によって会員カードの記録情報（会員ＩＤ）が読み取られ（ステップＳ３０２）、その後に、貯玉更新依頼部８８ｂによって当該会員ＩＤの４円口座の残高が会員管理Ｔ／Ｃ１０に問い合わされる（ステップＳ３０３）。
【０１０５】
このとき、引落し口座である４円口座の残高が玉１用交換玉数管理テーブル３１０内の最低調整交換玉数に満たない場合（ステップＳ３０４否定）には、貯玉残高が不足している旨の画面表示を表示部８２に表示させ（ステップＳ３０５）、カード挿入口８３０から会員カードを返却し（ステップＳ３１６）、処理を終了する。
【０１０６】
一方、４円口座の残高が最低調整交換玉数以上である場合（ステップＳ３０４肯定）には、交換制御部８８ａは、玉１用交換玉数管理テーブル３１０を参照して４円口座の残高が調整交換玉数以上であるタバコの銘柄だけ選択を受け付けるようにタバコ交換機９０に指示する（ステップＳ３０６）。なお、この指示を受け付けたタバコ交換機９０では、引落し口座の残高が足りているタバコの銘柄に対応するディスプレイ部９１０内の選択ボタンだけ点灯させる。
【０１０７】
その後、交換を行う遊技客によってタバコ交換機９０のディスプレイ部９１０内で点灯している選択ボタンが押下され、該押下された選択ボタンに対応するタバコの銘柄が選択景品情報として自販機子機３００に通知される。
【０１０８】
そして、タバコ交換機９０から選択景品情報（タバコ銘柄の指定情報）を受信すると（ステップＳ３０７肯定）、貯玉更新依頼部８８ｂは、４円口座の残高から指定銘柄の交換玉数を減算するように会員管理Ｔ／Ｃ１０に依頼し（ステップＳ３０８）、会員管理Ｔ／Ｃ１０から減算完了応答を受信する（ステップＳ３０９）。
【０１０９】
ここで、玉１用交換玉数管理テーブル３１０内の当該指定銘柄のタバコの補填フラグがオンである場合（ステップＳ３１０肯定）には、端数算出部３２０は、その指定銘柄のタバコの調整交換玉数から実交換玉数を減算して過徴収分の端数を算出する（ステップＳ３１１）。
【０１１０】
続いて、端数換算部３３０は、端数算出部３２０によって算出された引落し口座の貸出レート「玉１」における小数含みの端数に玉１の玉単価（４円／玉）を乗算して補填口座の貸出レート「玉２」と仮定した場合の玉数に換算し（ステップＳ３１２）、補填依頼部３４０は、会員管理Ｔ／Ｃ１０に対して、端数換算部３３０による換算後の過徴収分の端数を補填口座（１円口座）に加算するように依頼する（ステップＳ３１３）。
【０１１１】
そして、会員管理Ｔ／Ｃ１０から加算完了応答を受信すると（ステップＳ３１４）、交換制御部８８ａは、タバコ交換機９０に対して投出許可を行って選択銘柄のタバコを投出させるとともに（ステップＳ３１５）、カード挿入口８３０から会員カードを返却し（ステップＳ３１６）、処理を終了する。
【０１１２】
また、玉１用交換玉数管理テーブル３１０内の当該指定銘柄のタバコの補填フラグがオフである場合（ステップＳ３１０否定）には、上記したステップＳ３１１〜Ｓ３１４の貯玉補填処理は行われず、交換制御部８８ａは、タバコ交換機９０に対して投出許可を行って選択銘柄のタバコを投出させるとともに（ステップＳ３１５）、カード挿入口８３０から会員カードを返却し（ステップＳ３１６）、処理を終了する。
【０１１３】
なお、タバコ交換機９０からの選択景品情報を受信待機している場合（ステップＳ３０７否定）に、交換中止ボタン８１０又はカード返却ボタン８１１の押下操作を受け付けると（ステップＳ３１７肯定）、交換取引は中止され、交換制御部８８ａは、カード挿入口８３０から会員カードを返却し（ステップＳ３１６）、処理を終了する。
【０１１４】
上述してきたように、本実施例３に係る自販機子機３００によれば、景品に対応付けて、当該景品の販売価格と等価な小数含みの実交換玉数及び該実交換玉数を整数に調整した調整交換玉数を記憶しておき、貯玉と景品との交換要求に応答して、景品に対応付けて記憶した調整交換玉数と実交換玉数との差分値を引落し対象とする貸出レートとは異なる他の貸出レートの遊技媒体数に換算し、引落し対象とする貸出レートの貯玉口座から調整交換玉数を引き落とすように依頼するとともに、換算した玉数を他の貸出レートの貯玉口座に加算するように依頼するように構成したので、定価販売景品を交換する場合に過不足なく交換対価を徴収することができ、遊技店内にて公正な景品交換を行うことが可能である。
【実施例４】
【０１１５】
次に、本実施例４に係る自販機子機について説明する。本実施例４に係る自販機子機４００は、景品に対応付けて、実交換玉数及び調整交換玉数を記憶しておき、貯玉と景品との交換要求に応答して、景品に対応付けて記憶した調整交換玉数と実交換玉数との差分値を関連付けた端数レシートを発行するように制御する点にその特徴がある。
【０１１６】
すなわち、上記した実施例３では、過徴収分の端数となる調整交換玉数と実交換玉数との差分値を補填口座（１円口座）に加算させる補填依頼処理を行う場合を説明したが、本実施例４では、過徴収分の端数が関連付けられた交換レシートの発行制御を行うことで、現物投入でタバコ交換を行う場合（非会員がタバコ交換を行う場合）でも定価販売景品を交換する際に過不足なく交換対価を徴収することができるようにしている。
【０１１７】
例えば、図１２に示すように、２９０円で定価販売されるタバコＣについて、実交換玉数が７２．５個（＝２９０円÷４円／玉）、この小数部分を切り上げた７３個が調整交換玉数と定められているとした時、まずは調整交換玉数「７３個」を投入玉から徴収しておき、その一方で調整交換玉数と実交換玉数の差分値（過徴収分の端数である０．５個）を紙媒体や磁気媒体等の交換用記録媒体（端数レシート）に関連付けて発行する。
【０１１８】
このように、本実施例４では、調整交換玉数に相当する金額「２９２円（＝７３個）」を徴収しつつも、結果として、２９０円のタバコＣを供与するとともに過徴収分の端数に相当する金額「２円（＝０．５個）」が関連付けられた交換レシートを発行することができる。また、この端数レシートを景品カウンタに配設される景品管理装置７０に持参すれば、この端数レシートを用いて景品交換を行うことができることから、現物投入でタバコ交換を行う場合（非会員がタバコ交換を行う場合）でも定価販売景品を交換する際に過不足なく交換対価を徴収することが可能になる。
【０１１９】
続いて、本実施例４に係る自販機子機４００の構成を説明する。なお、本実施例４では、上記した実施例３と同様に、貯玉を用いたタバコ交換の際にも端数レシートを発行することもできるが、実施例３では救済できない非会員にも対応できる点を重点的に説明するため、現物投入でタバコ交換を行う場合を中心に説明する。
【０１２０】
図１３は、実施例４に係る自販機子機４００の構成を示す機能ブロック図である。なお、図１３では、実施例３と同様の構成及び機能を発揮する機能部については同一の符号を付している。このため、同一の符号を付した機能部については重複を避けるためにその説明を省略することとする。
【０１２１】
同図に示すように、自販機子機４００は、実施例３に係る自販機子機３００と比較して、端数レシートを発行するための機能部が付加されている点が主に相違し、印刷データをレシートに印字処理する印字部４１０と、端数算出部３２０によって算出された過徴収分の端玉数及びそれに対応付けられた識別情報を印字データとして作成し、該作成した印字データを印字部４１０に出力して端数レシートを発行させる発行制御部４２０とを有する点が実施例３と相違する。
【０１２２】
次に、本実施例４に係る自販機子機４００の処理の流れを説明する。なお、本実施例４では、前述したように端数レシートの発行により非会員をも救済できる点を重点的に説明する観点から、現物投入でタバコ交換を行う場合の処理手順について詳述する。
【０１２３】
図１４は、実施例４に係る現物投入によるタバコ交換処理の手順を示すフローチャートである。なお、ここでは、一時貯留部８６ｂにおける投入玉の貯留容量の制限から、現物投入でタバコ交換を行う場合には玉１のパチコン玉の使用だけを認めることとする。
【０１２４】
同図に示すように、タバコ交換を希望する遊技客が持参したパチンコ玉の投入が投入玉受入部８５ａで受け付けられると（ステップＳ４０１肯定）、計数部８６ａは、投入玉受入部８５ａから送出されるパチンコ玉を計数する（ステップＳ４０２）。なお、計数後の投入玉は、交換制御部８８ａによってタバコ交換が許可されるか、もしくは交換中止ボタン８１０又はカード返却ボタン８１１の押下操作を受け付けるまで一時貯留部８６ｂに貯留される。
【０１２５】
そして、計数部８６ａによって計数された投入玉数が最低調整交換玉数を超えるまで（ステップＳ４０３否定）に、投入玉受入部８５ａからパチンコ玉の投入を受け入れて計数が行われ（ステップＳ４０２）、投入玉数が最低調整交換玉数を超えた場合（ステップＳ４０３肯定）に、交換制御部８８ａは、玉１用交換玉数管理テーブル３１０を参照して計数部８６ａによって計数された投入玉数が調整交換玉数以上であるタバコの銘柄だけ選択を受け付けるようにタバコ交換機９０に指示する（ステップＳ４０４）。なお、この指示を受け付けたタバコ交換機９０では、引落し口座の残高が足りているタバコの銘柄に対応するディスプレイ部９１０内の選択ボタンだけ点灯させる。
【０１２６】
その後、現投入玉に加えてさらなるパチンコ玉の投入が投入玉受入部８５ａで受け付けられると（ステップＳ４０５肯定）、計数部８６ａによってその投入玉が計数され（ステップＳ４０６）、交換制御部８８ａは、玉１用交換玉数管理テーブル３１０を参照して計数後の投入玉数が新たに調整交換玉数を超えたタバコ銘柄が存在すると、そのタバコの銘柄の選択受付をさらに許可するようにタバコ交換機９０に指示する（ステップＳ４０４）。
【０１２７】
また、タバコ交換機９０から選択景品情報を受信するまでに（ステップＳ４０９否定）、交換中止ボタン８１０又はカード返却ボタン８１１の押下操作を受け付けると（ステップＳ４０７肯定）、交換取引は中止され、交換制御部８８ａは、一時貯留部８６ｂに貯留されている投入玉を投入玉返却部８５ｂから返却し（ステップＳ４０８）、処理を終了する。
【０１２８】
一方、交換を行う遊技客によってタバコ交換機９０のディスプレイ部９１０内で点灯している選択ボタンが押下されると、該押下された選択ボタンに対応するタバコの銘柄が選択景品情報として自販機子機４００に通知される。
【０１２９】
そして、タバコ交換機９０から選択景品情報（タバコ銘柄の指定情報）を受信すると（ステップＳ４０９肯定）、交換制御部８８ａは、一時貯留部８６ｂで一時的に貯留されている投入玉から当該銘柄のタバコの交換玉数分のパチンコ玉を貯留部８６ｃに格納し（ステップＳ４１０）、タバコ交換機９０に対して投出許可を行って選択銘柄のタバコを投出させるとともに（ステップＳ４１１）、余りの投入玉を投入玉返却部８５ｂから返却させる（ステップＳ４１２）。
【０１３０】
ここで、玉１用交換玉数管理テーブル３１０内の当該指定銘柄のタバコの補填フラグがオンである場合（ステップＳ４１３肯定）には、端数算出部３２０によってその指定銘柄のタバコの調整交換玉数から実交換玉数を減算して過徴収分の端数が算出され（ステップＳ４１４）、発行制御部４２０は、端数算出部３２０によって算出された過徴収分の端玉数及びそれに対応付けられた識別情報を印字データとして作成し、該作成した印字データを印字部４１０に出力して端数レシートを発行させ（ステップＳ４１５）、処理を終了する。
【０１３１】
また、玉１用交換玉数管理テーブル３１０内の当該指定銘柄のタバコの補填フラグがオフである場合（ステップＳ４１３否定）には、上記したステップＳ４１４〜Ｓ４１５の端数レシート発行処理は行わず、そのまま処理を終了する。
【０１３２】
上述してきたように、本実施例４に係る自販機子機４００によれば、景品に対応付けて、実交換玉数及び調整交換玉数を記憶しておき、貯玉と景品との交換要求に応答して、景品に対応付けて記憶した調整交換玉数と実交換玉数との差分値を関連付けた端数レシートを発行するように制御するように構成したので、現物投入でタバコ交換を行う場合（非会員がタバコ交換を行う場合）でも定価販売景品を交換する際に過不足なく交換対価を徴収することが可能である。
【実施例５】
【０１３３】
さて、これまで本発明の実施例について説明したが、本発明は上述した実施例以外にも、種々の異なる形態にて実施されてよいものである。そこで、以下では、本発明に含まれる他の実施例を説明する。
【０１３４】
（１）応用例
また、本発明では、上記した実施例１〜４においてタバコ交換を行う場合に所定期間内の交換個数に制限を設けるようにしてもよい。特に、定価販売の景品（例えば、タバコや雑誌など）は交換されても利益があがらず、１人の遊技客に多くの定価販売景品が交換されると他の遊技客が交換しようとした際に当該景品が行き渡らないおそれがある。
【０１３５】
そこで、貯玉口座を保有する遊技客ごとに、当該遊技客が所定期間内に交換を行った景品種別ごとの交換個数を対応付けて記憶させておき、遊技客（会員ＩＤ）に対応付けて記憶した累積交換個数が所定値以上の景品種別が存在する場合に、自販機子機からの貯玉更新依頼部８８ｂからの当該景品種別に係る引落し依頼を棄却させるように会員管理Ｔ／Ｃ１０を構成すれば、遊技店の交換利益が低い定価販売景品の出庫数を抑えるとともに、１人の遊技客に多くの定価販売景品が独占的に交換される事態を防止することができる。
【０１３６】
また、上記した実施例２で説明したように、特殊景品に交換不能な１円口座の残高よりも特殊景品に交換可能な４円口座の残高を残したいというニーズや高レートである４円口座の残高を残しておきたいとするニーズ、すなわち汎用貸出レートの貯玉口座を残したいというニーズが多分に存在する。このため、引落し口座を１円口座とした場合に貯玉残高が交換玉数に満たないケースにだけ、不足分の玉数を４円口座から振替引落しを行わせるよう自販機子機を構成すれば、遊技客が残高を残したいとする貯玉口座の残高を可及的に残しつつも、その他の貯玉口座の残高を用いてタバコ交換を行わせることができ、遊技客の景品交換サービスに係る利便性を向上させることができる。なお、振替引落しを行わせる場合には、引落し口座の貸出レートの交換玉数から他の貸出レートの交換玉数に換算させる必要がある。
【０１３７】
（２）過徴収分の端数の取扱い
上記した実施例３では、過徴収分の端数を１円口座に補填する場合には漏れなく補填することができるが、過徴収分の端数を補填する貯玉口座は必ずしも１円口座である必要はない。少なくとも引落し対象とする貯玉口座よりも貸出レートが低い貯玉口座に過徴収分の端数を換算して補填するようにすれば、過徴収分の端数の絶対数（調整交換玉数と実交換玉数との差分値）を低減させることができる。これにより、定価販売景品だけでなく、市場価格販売景品の交換玉数に小数を設定したる場合でも過不足なく交換対価を徴収することができる。
【０１３８】
さらに、上記した実施例３及び４では、景品の販売価格が整数である限り、玉２（１円／玉）の貸出レートでは価格も整数となるため、補填する口座は１円口座としたが、景品の販売価格自体が小数を含む場合には、小数点を含む玉単価（０．１円／玉）の貯玉口座を設けておき、端数をその玉単価の貸出レートの玉数に換算して補填するようにしてもかまわない。
【０１３９】
（３）その他
上記した実施例２では、特殊景品に交換不能な貯玉口座（玉２に対応する１円口座）が最低交換玉数に満たなければ、特殊景品に交換可能な貯玉口座（玉１に対応する４円口座）を引落し口座として再特定することとしたが、この再特定を認めずにタバコ交換を禁止するようにしてもよい。
【０１４０】
また、上記した実施例１では、各貯玉口座の残高を金額換算して残金額の比較を行うこととしたが、必ずしも金額換算を行う必要はなく、特定の貸出レートの遊技媒体数に換算して残価値の比較を行うようにしてもかまわない。
【０１４１】
また、上記した実施例１及び２では、自販機子機８０及び２００が引落し口座特定部８８ｃ又は２１０の機能を有することとしたが、本発明はこれに限定されるものではなく、会員管理Ｔ／Ｃ１０がこれらの機能部を有するようにしてもかまわない。このように、会員管理Ｔ／Ｃ１０に引落し口座特定部８８ｃ又は２１０の機能を実行させれば、遊技店に複数の自販機子機８０や２００が存在する場合でも自販機子機のソフトウェア面の改変を行わずともよくなり、情報処理装置としての性能が高い会員管理Ｔ／Ｃ１０に引落し口座特定部８８ｃ又は２１０の処理を実行させることができる。
【０１４２】
なお、上記した実施例１〜４では、自販機子機とタバコ交換機とを別体に構成した場合を説明したが、必ずしも各個に構成する必要はなく、両者の機能を統合して一体型として構成した場合にも本発明を同様に適用することができる。
【０１４３】
また、上記した実施例１〜４では、自販機子機及びタバコ交換機がタバコ交換を行う例を説明したが、必ずしもタバコ交換を行う必要はなく、その他の食料、飲料、雑誌やデジタルコンテンツ等の景品との交換を行う場合にも本発明を同様に適用することができる。また、食料、飲料やデジタルコンテンツ等を交換する場合には、実交換玉数の分量について量り売りを行うようにしてもよい。
【０１４４】
なお、上記した実施例１〜４では、本発明をパチンコ遊技に適用する例を説明したが、パチスロ遊技を対象としてさらに含めた場合又はパチスロ遊技のみを対象とした場合にも本発明を同様に適用することができる。なお、ここでは、パチンコ店及びパチスロ店に本発明を適用する例を説明したが、本発明はこれに限定されるものではなく、ゲームセンタ等の遊技施設にも同様に適用することができる。
【０１４５】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【０１４６】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【産業上の利用可能性】
【０１４７】
以上のように、本発明に係る景品交換システム、景品交換端末及び景品交換方法は、遊技店が意図する景品交換サービスを実現する場合に適している。
【図面の簡単な説明】
【０１４８】
【図１】実施例１に係る遊技店の店内システムのシステム構成を示す図である。
【図２】実施例１に係る自販機子機の特徴を説明するための説明図である。
【図３】実施例１に係る自販機子機及びタバコ交換機の外観構成を示す図である。
【図４】実施例１に係る自販機子機の構成を示す機能ブロック図である。
【図５】交換玉数管理テーブルに記憶される情報の構成例を示す図である。
【図６】実施例１に係る貯玉を用いたタバコ交換処理の手順を示すフローチャートである。
【図７】実施例２に係る貯玉を用いたタバコ交換処理の手順を示すフローチャートである。
【図８】実施例３に係る自販機子機の特徴を説明するための説明図である。
【図９】実施例３に係る自販機子機の構成を示す機能ブロック図である。
【図１０】玉１用交換玉数管理テーブルに記憶される情報の構成例を示す図である。
【図１１】実施例３に係る貯玉を用いたタバコ交換処理の手順を示すフローチャートである。
【図１２】実施例４に係る自販機子機の特徴を説明するための説明図である。
【図１３】実施例４に係る自販機子機の構成を示す機能ブロック図である。
【図１４】実施例４に係る現物投入によるタバコ交換処理の手順を示すフローチャートである。
【符号の説明】
【０１４９】
１０    会員管理Ｔ／Ｃ
２０    島コントローラ
３０ａ，３０ｂ  ＣＲユニット
４０ａ，４０ｂ  パチンコ機
５０    計数機
６０    会員カード処理機
７０    景品管理装置
７５    景品払出機
８０    自販機子機
８１    操作部
８２    表示部
８３    カード処理部
８４    通信Ｉ／Ｆ部
８５ａ  投入玉受入部
８５ｂ  投入玉返却部
８６ａ  計数部
８６ｂ  一時貯留部
８６ｃ  貯留部
８７    記憶部
８７ａ  交換玉数管理テーブル
８８    制御部
８８ａ  交換制御部
８８ｂ  貯玉更新依頼部
８８ｃ  引落し口座特定部
９０    タバコ交換機
【図１】
2009118867.tif 000003
【図２】
2009118867.tif 000004
【図３】
2009118867.tif 000005
【図４】
2009118867.tif 000006
【図５】
2009118867.tif 000007
【図６】
2009118867.tif 000008
【図７】
2009118867.tif 000009
【図８】
2009118867.tif 000010
【図９】
2009118867.tif 000011
【図１０】
2009118867.tif 000012
【図１１】
2009118867.tif 000013
【図１２】
2009118867.tif 000014
【図１３】
2009118867.tif 000015
【図１４】
2009118867.tif 000016